(57)【特許請求の範囲】
【請求項１】
板状の止まり本体と、この止まり本体の一側に延設され、軒樋の外面形状にほぼ符合した内面形状を有する接続部とからなり、この接続部が傾斜屋根の軒先に配設される軒樋の端部に装着されて用いられる軒樋止まりにおいて、
前記接続部の屋内側側壁の上端から屋内側に向かって上り傾斜部が延設され、この傾斜部は前記止まり本体の端部から屋内側に延設された隠し部と連接されていることを特徴とする軒樋止まり。
【請求項２】
傾斜部の上端および側端から、雨水の垂れ落ちを防止する堰部が上方に立設されている請求項１記載の軒樋止まり。
【発明の詳細な説明】
【０００１】
【発明の属する技術分野】
本発明は、屋根の軒先に取り付けられる軒樋の端部に装着して固定される軒樋止まりに関する。
【０００２】
【従来の技術】
従来、軒樋の端部を閉塞するための軒樋止まりとして、たとえば図７に示すものが使用されている。この軒樋止まり１は、板状の止まり本体２と、この止まり本体２の片側に一体に延設され、軒樋４の外面形状にほぼ符合した内面形状を有する接続部３とで構成されており、この接続部３が軒樋４の端部に接着して固定されている（たとえば実公昭６３−１８６６５号公報、実開平４−７６８４４号公報、実開平６−８３８２６号公報などを参照）。
【０００３】
【発明が解決しようとする課題】
しかしながら、図８に示すように、図面上において傾斜屋根Ｓ２側の軒先の幅（Ａ）が狭く、しかも、片側の傾斜屋根Ｓ１の軒先が延長されて葺き下ろし部Ｓ１１とされた傾斜屋根に適用しようとした場合、軒樋４の端部に軒樋止まり１を接続するだけでは、葺き下ろし部Ｓ１１を有する屋根に降った雨水を完全に軒樋４内に集水することはできなかった。
【０００４】
このため、傾斜屋根Ｓ２側の両軒先に配設した軒樋４の端部にたとえば９０度曲がり５の一端部を接続し、この曲がり５の他端部に軒樋止まり１を接続して、この曲がり５で葺き下ろし部Ｓ１１両側のコーナ部の屋根面を流れる雨水を集水しなければならなかった。その際、両側の軒先の幅（Ａ）が曲がりよりも狭い場合は、曲がり５の端部を切断加工して接続しなければならなかった。また、接続作業も２回しなければならない。
【０００５】
一方、葺き下ろし部Ｓ１１側の軒先に、軒樋４を鼻隠し板との間にかなり隙間をおいて配設した場合、従来の軒樋止まり１では、軒樋４の両端部における隙間を隠すことができず、外観の見栄えが低下するという問題もあった。
【０００６】
本発明の目的は、雨水の集水機能を有するとともに、取付け後の軒先の意匠的な見栄えも向上できる軒樋止まりを提供することである。
【０００７】
【課題を解決するための手段】
請求項１記載の本発明は、板状の止まり本体と、この止まり本体の一側に延設され、軒樋の外面形状にほぼ符合した内面形状を有する接続部とからなり、この接続部が傾斜屋根の軒先に配設される軒樋の端部に装着されて使用される軒樋止まりにおいて、前記接続部の屋内側側壁の上端から屋内側に向かって上り傾斜部が延設され、この傾斜部は前記止まり本体の端部から屋内側に延設された隠し部と連接されているものである。
【０００８】
請求項２記載の本発明は、請求項１記載の軒樋止まりにおいて、傾斜部の上端および側端から、雨水の垂れ落ちを防止する堰部が上方に立設されているものである。
【０００９】
本発明における軒樋止まりの材質は、硬質塩化ビニル樹脂、アクリル樹脂、ポリカーボネート樹脂、ＡＥＳ樹脂などの合成樹脂が使用できる。また、鉄板，鋼板，ステンレス板、アルミ板あるいは表面がたとえば塩化ビニル樹脂などの合成樹脂にて被覆された樹脂被覆鋼板などの金属材料であってもよい。
【００１０】
そして、止まり本体および接続部の各形状は適用される軒樋の断面形状に応じて決めればよい。また、止まり本体の端部から屋内側に延設される隠し部の幅は軒樋の取付け形態に応じて決めればよい。
【００１１】
（作用）
請求項１または２記載の軒樋止まりにおいては、止まり本体の一側に延設された接続部の屋内側側壁の上端から屋内側に向かって上り傾斜部が延設されているので、コーナ屋根面を流れる雨水はこの傾斜部を通じて軒樋内に集水できる。
【００１２】
また、この傾斜部は止まり本体の端部から屋内側に延設された隠し部と連接されているので、軒先に配設した軒樋と鼻隠し板との間にかなり隙間が存在していても、この隙間は軒樋の両端部に装着される軒樋止まりの隠し部によって覆い隠されるので、軒先外観の見栄えは良くなる。
【００１３】
請求項２記載の軒樋止まりにおいては、傾斜部の上端および側端から上方に堰部が立設されているので、傾斜部を通じて流れ込む雨水の垂れ落ちを防止でき、このため、鼻隠し板や外壁面の濡れや腐食を防止できる。
【００１４】
【発明の実施の形態】
以下、本発明の実施の形態を図面に基づいて説明する。
【００１５】
図１は本発明の軒樋止まりの一実施例を示す斜視図、図２は図１の軒樋止まりの縦断面図である。なお、従来と同一の部分については同一の符号を付している。
【００１６】
１は硬質塩化ビニル樹脂製の軒樋止まりであり、板状の止まり本体２と、この止まり本体２の片面側に一体に延設された接続部３とで構成されている。接続部３はその断面形状が略Ｕ字状であり、ほぼ水平な底壁３１と、曲面状の前側壁（屋外側側壁）３２と、ほぼ垂直な後側壁（屋外側側壁）３３とからなり、後述の軒樋の外面形状にほぼ符合した内面形状を有している。
【００１７】
前側壁３２は、上部前側壁３２１と、下部前側壁３２２と、この両側壁を連結する倒置Ｊ字状の連結壁３２３とからなっている。この倒置Ｊ字状の連結壁３２３は、図１に示すように、前側壁３２の上下方向のほぼ中央の壁部が内方に屈曲されて形成されており、この結果、上部前側壁３２１と下部前側壁３２２の間には、斜め下方に開口した倒置Ｊ字状の溝３２４が存在している。そして、上部前側壁３２１の下端には水切り部３２５が形成されている。前側壁３２および後側壁３３の上端にはそれぞれ前耳係止部３２ａおよび後耳係止部３３ａが設けられている。
【００１８】
３１ａは幅狭の押さえ片であり、接続部３を構成している底壁３１、前側壁３２のほぼ中央から底壁３１および後側壁３３の内面と所定の隙間を有して対向して、止まり本体２から一体に延設されている。この隙間は後述の軒樋の壁部厚みにほぼ等しくされている。
【００１９】
後側壁３３の下端および上端から同一幅で外方（屋内側）に向かってそれぞれ水平片３４および傾斜片３５が一体に延設され、この水平片３４と傾斜片３５の両端は垂直片３６にて連接されている。傾斜片３５は屋内側に向かって斜め上方に約２０度傾斜している。この傾斜片３５の上端および側端から上方に堰部３５１が一体に立設されている。この堰部３５１は雨水の垂れ落ちを防止するためのものである。上記水平片３４、傾斜片３５および垂直片３６は止まり本体２の端部から屋内側に延設された隠し部２１と連接されている。この隠し部２１の延設幅は、軒先に軒樋を配設した状態において、軒樋と鼻隠し板の間の隙間よりも少し大きくされている。
【００２０】
つぎに、上記軒樋止まり１の使用態様を図３〜図６に基づいて説明する。
まず、軒樋止まり１が適用される軒樋について説明する。図４に示すように、軒樋４は断面形状が略Ｕ字状の硬質塩化ビニル樹脂製の前高タイプのものであり、ほぼ水平な底壁４１と、曲面状の前側壁４２と、ほぼ垂直な後側壁４３とからなり、上記軒樋止まり１の内面形状にほぼ符合した外面形状を有している。
【００２１】
前側壁４２は、上部前側壁４２１と、下部前側壁４２２と、この両側壁を連結する倒置Ｊ字状の連結壁４２３とからなっている。この倒置Ｊ字状の連結壁４２３は、図４に示すように、前側壁４２の上下方向のほぼ中央の壁部が内方に屈曲されて形成されており、この結果、上部前側壁４２１と下部前側壁４２２の間には、斜め下方に開口した倒置Ｊ字状の溝４２４が存在している。そして、上部前側壁４２１の下端には水切り部４２５が形成されている。前側壁４２および後側壁４３の上端にはそれぞれ前耳４２ａおよび後耳４３ａが設けられている。前耳４２１は樋内側に開口した断面略Ｃ字状の溝４２ｂを有している。
【００２２】
まず、建物の軒先の鼻隠し板５に複数の軒樋受け具（図示せず）を釘などにて固定する。そして、この軒樋受け具の樋耳支持部にて軒樋４の前後耳４２ａ，４３ａを係止して軒樋４を支持する。つぎに、図６に示すように、軒樋止まり１の接続部３を構成している底壁３１および前後側壁３２，３３の内面にわたって接着剤を２条塗りする。この接着剤を塗布した接続部３を軒樋４の端部外面に押し込んで軒樋止まり１を軒樋４の両端部に固定する。
【００２３】
この場合、軒先の幅（Ａ）が狭い傾斜屋根Ｓ２側の軒先に配設した軒樋４の両端部に軒樋止まり１，１を固定した場合、軒樋４の後側壁４３と軒先の鼻隠し板との間にかなりの隙間が存在しても、この隙間は止まり本体２の隠し部２１にて覆い隠されるので、軒樋４の両端部側から軒先を眺め上げても隙間の存在が感じられず、軒先の意匠的外観は良好となる。
【００２４】
そして、図５に示すように、葺き下ろし部Ｓ１１の水上側の両側に存在する傾斜屋根Ｓ１の両コーナ部Ｓ１０，Ｓ１０の屋根面を流れる雨水は、軒樋止まり１の傾斜片３５を通じて軒樋４内に集水されることになる。その際、傾斜片３５の上端および側端から上方に堰部３５１が立設されていることにより、両コーナ部Ｓ１０，Ｓ１０の屋根面から流れ込む雨水の垂れ落ちを防止できる。この結果、鼻隠し板や外壁面の濡れによる汚れを防止できる。
【００２５】
また、傾斜屋根Ｓ１側の葺き下ろし部Ｓ１１の軒先に配設した軒樋４の両端部に軒樋止まり１，１を固定した場合、軒樋４の後側壁４３と軒先の鼻隠し板との間にかなりの隙間が存在しても、この隙間は止まり本体２の隠し部２１にて覆い隠されることになる。このため、軒先に配設した軒樋４の両端部側から軒先を眺め上げても隙間の存在が感じられず、軒先の意匠的外観は良好となる。このように、止まり本体２に隠し部２１を設けたことにより、建物の外観上の一体感が感じられ、高級感を有した建物とできる。
【００２６】
【発明の効果】
請求項１または２記載の本発明においては、止まり本体の一側に延設された接続部の屋内側側壁の上端から屋内側に向かって上り傾斜部が延設されているので、コーナ屋根面を流れる雨水はこの傾斜部を通じて軒樋内に集水できる。
【００２７】
また、この傾斜部は止まり本体の端部から屋内側に延設された隠し部と連接されているので、軒先に配設した軒樋と鼻隠し板との間にかなり隙間が存在していても、この隙間は軒樋の両端部に装着される軒樋止まりの隠し部によって覆い隠されるので、軒先外観の見栄えは良くなる。
【００２８】
また、請求項２記載の本発明においては、傾斜部の上端および側端から上方に堰部が立設されているので、傾斜部を通じて流れ込む雨水の垂れ落ちを防止でき、このため、鼻隠し板や外壁面の濡れや腐食を防止できる。
【図面の簡単な説明】
【図１】本発明の軒樋止まりの一実施例を示す斜視図である。
【図２】図１の軒樋止まりの縦断面図である。
【図３】図１の軒樋止まりの使用状態を示す平面説明図である。
【図４】図３の軒樋止まりが適用される軒樋を示す正面図である。
【図５】図３の要部を示す拡大説明図である。
【図６】図１の軒樋止まりを軒樋の端部に固定する状態を示す説明図である。
【図７】従来の軒樋止まりを示す斜視図である。
【図８】図７の軒樋止まりの使用状態を示す平面説明図である。
【符号の説明】
１  軒樋止まり
２  止まり本体
２１  隠し部
３  接続部
３１  底壁
３１ａ  押さえ片
３２  前側壁
３２ａ  前耳係止部
３２１  上部前側壁
３２２  下部前側壁
３２３  連結壁
３２４  溝
３３  後側壁
３３ａ  後耳係止部
３３１  後耳係止部
３４  水平片
３５  傾斜片
３５１  堰部
３６  垂直片
４  軒樋
４１  底壁
４２  前側壁
４２ａ  前耳
４３  後側壁
４３ａ  後耳
５  鼻隠し板
Ｓ１、Ｓ２  傾斜屋根
Ｓ１０  コーナ部
Ｓ１１  葺き下ろし部
【図１】
0004067221.tif 000002
【図２】
0004067221.tif 000003
【図３】
0004067221.tif 000004
【図４】
0004067221.tif 000005
【図５】
0004067221.tif 000006
【図６】
0004067221.tif 000007
【図７】
0004067221.tif 000008
【図８】
0004067221.tif 000009